(57)【要約】【課題】電子機器の冷却装置において、ファンユニットにより送風される空気の一部が漏れてしまうことを防止する。【解決手段】電子機器１０は、排気口部１９が設けられた筐体１８と、筐体１８に収容された複数の発熱体２１，２２と、筐体１８に収容された冷却装置３０と、を備え、冷却装置３０は、吐出し口部３６ｂが設けられたファンユニット３６と、吐出し口部３６ｂから排気口部１９まで延設したダクト３５と、一端に発熱体２１，２２の熱を受熱する受熱部３２ｂを有し、他端に発熱体２１，２２の熱を放熱する少なくとも一部がダクト３５内部に収容されたフィン３３，３４とを有した複数の熱移送部材３１，３２と、を備える。【選択図】図２
2008250616.tif 000002
【特許請求の範囲】
【請求項１】
排気口部が設けられた筐体と、
前記筐体に収容された複数の発熱体と、
前記筐体に収容された冷却装置と、を備え、
前記冷却装置は、
吐出し口部が設けられたファンユニットと、
前記吐出し口部から前記排気口部まで延設したダクトと、
一端に前記発熱体の熱を受熱する受熱部を有し、他端に前記発熱体の熱を放熱する少なくとも一部が前記ダクト内部に収容されたフィンとを有した複数の熱移送部材と、
を備えたことを特徴とする電子機器。
【請求項２】
前記フィンは、前記ダクトの内部に複数が並べて配置され、その隙間は前記ダクトにより封止されていることを特徴とする請求項１に記載の電子機器。
【請求項３】
前記ダクトは、前記フィンと前記ファンユニットの吐出し口部との間の隙間を封止することを特徴とする請求項１に記載の電子機器。
【請求項４】
前記ダクトは、熱移送部材を挿設するための切り欠き部を有していることを特徴とする請求項１〜３のいずれか１項に記載の電子機器。
【請求項５】
前記ダクトは、前記ファンユニットを電子機器本体に固定するための固定部品と一体化して構成されることを特徴とする請求項１〜４のいずれか１項に記載の電子機器。
【請求項６】
前記熱移送部材は、ヒートパイプであることを特徴とする請求項１〜５のいずれか１項に記載の電子機器。
【請求項７】
前記フィンは、複数の薄板部材が積層されて形成されていることを特徴とする請求項１〜６のいずれか１項に記載の電子機器。
【請求項８】
前記発熱体は、回路部品であることを特徴とする請求項１〜７のいずれか１項に記載の電子機器。
【発明の詳細な説明】
【技術分野】
【０００１】
本発明は、複数の回路部品を冷却するための冷却装置を有する電子機器に関する。
【背景技術】
【０００２】
従来文献（特許文献１）には、冷却装置を有する電子機器の一例が示されている。電子機器の冷却装置は、発熱する回路部品に一端で接触するヒートパイプと、ヒートパイプの他端に設けられた放熱フィンと、放熱フィンに向けて送風する電動ファンユニットと、を備えている。
【特許文献１】特開２００４−３９６８５号公報
【発明の開示】
【発明が解決しようとする課題】
【０００３】
電子機器の冷却装置には、複数の回路部品を冷却するために、ヒートパイプおよび放熱フィンの組み合わせが複数設けられる場合がある。このような電子機器の冷却装置では、複数の回路部品の各々からヒートパイプが延びて、各ヒートパイプに取り付けられた放熱フィンが、ファンユニットの吐出し口部の手前に一列に並べて配置される。
【０００４】
しかしながら、ファンユニットの手前で複数の放熱フィンが並べて配置された場合には、放熱フィンと放熱フィンとの間の隙間から、ファンユニットによる送風の一部が漏れてしまう。この結果、冷却装置の冷却効率が低下してしまう。
【０００５】
本発明は、上記の課題を解決するためになされたもので、放熱フィンと放熱フィンとの間の隙間から、ファンユニットによる送風の一部が漏れてしまうことを防止可能な電子機器を提供することを目的とする。
【課題を解決するための手段】
【０００６】
上述した目的を達成するために、本発明に係る電子機器は、排気口部が設けられた筐体と、筐体に収容された複数の発熱体と、筐体に収容された冷却装置と、を備え、冷却装置は、吐出し口部が設けられたファンユニットと、吐出し口部から排気口部まで延設したダクトと、一端に発熱体の熱を受熱する受熱部を有し、他端に発熱体の熱を放熱する少なくとも一部がダクト内部に収容されたフィンとを有した複数の熱移送部材と、を備えたことを特徴とする。
【発明の効果】
【０００７】
本発明によれば、放熱フィンと放熱フィンとの間の隙間から、ファンユニットにより送風される空気の一部が漏れてしまうことを防止可能な電子機器を提供することができる。
【発明を実施するための最良の形態】
【０００８】
以下、添付図面を参照して、本発明の好適な実施形態について詳細に説明する。なお、説明において、同一要素または同一機能を有する要素には、同一符号を用いることとし、重複する説明は省略する。
【０００９】
図１は、本発明の電子機器の一実施例であるノート型パーソナルコンピュータ１０の外観を示す斜視図である。ノート型パーソナルコンピュータ１０は、キーボード１３やタッチパッド１６などが上面に設けられたコンピュータ装置本体１１と、液晶表示パネル１７が前面に設けられたディスプレイユニット１２とから構成されている。コンピュータ装置本体１１の奥側左右の隅部にはヒンジが設けられており、ディスプレイユニット１２は、コンピュータ装置本体１１に対して開放位置と閉塞位置との間を回動自在に取り付けられている。コンピュータ装置本体１１は薄い箱形の筐体１８を有しており、その上面にはキーボード１３、コンピュータ１０を電源オン／オフするためのパワーボタン１４、入力操作パネル１５、およびタッチパッド１６などが配置されている。
【００１０】
図２は、コンピュータ１０の左奥領域Ｒの内部を上から見た平面図である。図２に示すように、筐体１８の内部には、プリント配線基板２０が収容されている。プリント配線基板２０には、発熱体となる回路部品２１，２２としてＣＰＵ（Central Processing Unit）やチップセットなどの半導体集積回路（ＬＳＩ：Large ScaleIntegration）が実装されている。これらの回路部品２１，２２は、動作中の発熱量が非常に大きく、安定した動作を維持するために冷却を必要としている。そこで、これらの回路部品２１，２２を冷却するために、筐体１８の内部には冷却装置３０が収容されている。
【００１１】
図２、図３および図４を参照して、第１回路部品２１および第２回路部品２２を冷却するための冷却装置３０について説明する。図３は、冷却装置３０が組み立てられた状態を示す斜視図であり、図４は、冷却装置３０が分解された状態を示す斜視図である。
【００１２】
冷却装置３０は、第１ヒートパイプ３１、第２ヒートパイプ３２、第１放熱フィン３３、第２放熱フィン３４、電動ファンユニット３６およびダクト３５を備えている。冷却装置３０を構成するこれらの部材は、コンピュータ装置本体１１の筐体１８の側壁に形成された排気口部１９付近に配設されている。なお、図３および図４において、第１ヒートパイプ３１および第２ヒートパイプ３２を切断して示している。
【００１３】
第１ヒートパイプ（熱移送部材）３１は、冷媒が充填された金属製の管状部材３１ａを有しており、この管状部材３１ａは第１回路部品２１から排気口部１９付近に至り、ダクト３５の内部まで延びている。第１ヒートパイプ３１の一端部には扁平な受熱部３１ｂが形成されており、この受熱部３１ｂは第１回路部品２１に密接している。第１ヒートパイプ３１の他端部には第１放熱フィン３３が接合されており、この第１放熱フィン３３は電動ファンユニット３６の吐出し口部３６ｂと筐体１８の排気口部１９との間に配置されている。
【００１４】
第２ヒートパイプ（熱移送部材）３２は、第１ヒートパイプ３１と同様に構成されている。すなわち、第２ヒートパイプ３２は、金属製の管状部材３２ａである本体を有しており、この本体は第２回路部品２２から排気口部１９付近に至り、ダクト３５の内部まで延びている。第２ヒートパイプ３２の一端部には扁平な受熱部３２ｂが形成されており、この受熱部３２ｂは第２回路部品２２に密接している。第２ヒートパイプ３２の他端部には第２放熱フィン３４が接合されており、この第２放熱フィン３４は電動ファンユニット３６と排気口部１９との間に配置されている。
【００１５】
第１放熱フィン３３および第２放熱フィン３４の各々は、中央に貫通孔部３３ｂ，３４ｂが形成されると共に端部３３ｃ，３４ｃが折り曲げられた金属製の薄板部材３３ａ，３４ａを多数用意し、ヒートパイプを貫通孔部３３ｂ，３４ｂに挿通しつつ多数の薄板部材３３ａ，３４ａを所定間隔をもって積層し、積層された多数の薄板部材３３ａ，３４ａを互いにかしめて固定することにより形成されている。このように形成された第１放熱フィン３３および第２放熱フィン３４は、電動ファンユニット３６と排気口部１９との間で並べて配置されており、第１放熱フィン３３は電動ファンユニット３６側に位置し、第２放熱フィン３４は排気口部１９側に位置している。ここで、第１放熱フィン３３および第２放熱フィン３４を構成する薄板部材３３ａ，３４ａは、その板面をコンピュータ装置本体１１の前後方向に向けており、電動ファンユニット３６から送風される空気が排気口部１９に抜けるようにしている。
【００１６】
ダクト３５は、第１放熱フィン３３および第２放熱フィン３４を覆うように形成された金属製の筒状部材である。ダクト３５は、電動ファンユニット３６と排気口部１９との間に配置されており、電動ファンユニット３６から送風される空気の入口となる開口３５ａを電動ファンユニット３６側に有すると共に、送風される空気の出口となる開口３５ｂを排気口部１９側に有する。ダクト３５の内部において、電動ファンユニット３６側には第１放熱フィン３３が収容されており、排気口部１９側には第２放熱フィン３４が収容されている。ダクト３５は、第１放熱フィン３３と第２放熱フィン３４との間の隙間を覆っており、第１放熱フィン３３と第２放熱フィン３４との間の隙間を封止している。なお、第１放熱フィン３３および第２放熱フィン３４は、少なくとも一部がダクト３５の内部に収容されていればよい。
【００１７】
また、ダクト３５の入口開口３５ａは電動ファンユニット３６の吐出し口部３６ｂよりも若干大きく形成されており、ダクト３５の入口開口３５ａには電動ファンユニット３６の吐出し口部３６ｂが嵌入されている。よって、ダクト３５は、第１放熱フィン３３と電動ファンユニット３６の吐出し口部３６ｂとの間の隙間を覆っており、第１放熱フィン３３と電動ファンユニット３６の吐出し口部３６ｂとの間の隙間を封止している。
【００１８】
ダクト３５の側面には、４本の切り欠き部３５ｃ，３５ｄ，３５ｅ，３５ｆが形成されている。より詳しく説明すると、ダクト３５において互いに反対側に位置する２つの側面の各々には、入口開口３５ａから出口開口３５ｂに向けて１本ずつ切り欠き部３５ｃ，３５ｄが形成されており、また当該２つの側面の各々には、出口開口３５ｂから入口開口３５ａに向けて１本ずつ切り欠き部３５ｅ，３５ｆが形成されている。ダクト３５の入口開口３５ａから形成された２本の切り欠き部３５ｃ，３５ｄには、第１ヒートパイプ３１を挿入して第１放熱フィン３３をダクト３５の内部に収容するために用いられる。また、ダクト３５の出口開口３５ｂから形成された２本の切り欠き部３５ｅ，３５ｆには、第２ヒートパイプ３２を挿入して第２放熱フィン３４をダクト３５の内部に収容するために用いられる。
【００１９】
また、ダクト３５は、ディスプレイ３６とコンピュータ装置本体１１との間に介在する固定部品であって、電動ファンユニット３６をコンピュータ装置本体１１に固定するための固定部品と一体化して構成されている。すなわち、ダクト３５を構成する板材には、ネジ止め用の貫通孔３５ｇが形成されており、ダクト３５を構成する板材は、電動ファンユニット３６にネジ止めにより固定されると共に、コンピュータ装置本体１１にネジ止めにより固定される。
【００２０】
電動ファンユニット３６は、電動モータにより回転駆動される羽根車３６ｃを内部に有している。また、電動ファンユニット３６の上部中央には吸入口部３６ａが設けられており、電動ファンユニット３６の排気口部１９側には吐出し口部３６ｂが設けられている。電動ファンユニット３６において、内部の羽根車３６ｃが回転すると、吸入口部３６ａを介して電動ファンユニット３６の内部に空気が吸い込まれ、吐出し口部３６ｂを介して電動ファンユニット３６の内部から空気が吹き出される。電動ファンユニット３６の吐出し口部３６ｂから吹き出された空気は、ダクト３５内を通って第１放熱フィン３３および第２放熱フィン３４を冷却し、排気口部１９側から筐体１８の外方に放出される。
【００２１】
回路部品２１，２２の熱は、ヒートパイプ３１，３２の受熱部３１ｂ，３２ｂを介して受熱部３１ｂ，３２ｂの内部の冷媒に伝えられる。この熱伝導により、受熱部３１ｂ，３２ｂの内部の冷媒が加熱されて蒸気となり、この蒸気はヒートパイプの放熱フィン側に流れる。放熱フィンには電動ファンユニット３６から送風される空気が吹き付けられるので、ヒートパイプの放熱フィン側に導かれた蒸気は放熱して凝縮する。凝縮により液化された冷媒は、毛細管力により冷媒通路の内面を伝わって受熱部３１ｂ，３２ｂに戻る。この冷媒の蒸発および凝縮の繰り返しにより、回路部品が継続して冷却される。
【００２２】
本実施形態の冷却装置３０によれば、第１放熱フィン３３と第２放熱フィン３４との間の隙間がダクト３５により封止されており、電動ファンユニット３６により送風された空気が当該隙間から漏れることがないため、冷却装置３０の冷却効率が低下することを抑制することができる。さらに、第１放熱フィン３３と電動ファンユニット３６の吐出し口部３６ｂとの間の隙間がダクト３５により封止されており、電動ファンユニット３６により送風された空気が当該隙間から漏れることがないため、冷却装置３０の冷却効率が低下することを抑制することができる。これにより、冷却装置３０を薄型化したりコンパクト化したりすることが可能となっている。
【００２３】
また、本実施形態にように第１放熱フィン３３および第２放熱フィン３４をダクト３５により覆った場合には、第１放熱フィン３３と第２放熱フィン３４との間の隙間、および第１放熱フィン３３と電動ファンユニット３６の吐出し口部３６ｂとの間の隙間を全周囲で封止することが容易である。本実施形態と異なる送風漏れ防止方法、例えば、隙間にフィルム状のシール部材を貼り付けるような送風漏れ防止方法では、第１放熱フィン３３および第２放熱フィン３４の全周囲で隙間を封止することが製造上困難である。よって、他の送風漏れ防止方法と比較しても、本実施形態の冷却装置３０における送風漏れ防止方法は、隙間をより確実に封止することができ、冷却装置３０の冷却効率をより向上することができる。
【００２４】
なお、本実施形態では、第１放熱フィン３３および第２放熱フィン３４はコ字状の薄板部材３３ａ，３４ａを積層して形成されており、第１放熱フィン３３および第２放熱フィン３４は電動ファンユニット３６側および排気口部１９側にのみ開口を有する。よって、電動ファンユニット３６から送り出された空気は、電動ファンユニット３６側の開口から第１放熱フィン３３および第２放熱フィン３４の内部に入り込むと、排気口部１９側の開口から抜けるまで、第１放熱フィン３３および第２放熱フィン３４の内部から漏れることがない。よって、ダクト３５は、第１放熱フィン３３および第２放熱フィン３４の全周囲を必ずしも覆わなくてもよい。すなわち、ダクト３５は、第１放熱フィン３３と第２放熱フィン３４との間の隙間を少なくとも封止していればよく、好ましくは第１放熱フィン３３と電動ファンユニット３６の吐出し口部３６ｂとの間の隙間を封止していればよい。
【００２５】
また、本実施形態の冷却装置３０を製造するためには、ダクト３５の切り欠き部３５ｃ，３５ｄ，３５ｅ，３５ｆにヒートパイプ３１，３２を挿入して、ダクト３５の内部に放熱フィン３３，３４を収容し、ダクト３５に電動ファンユニット３６の吐出し口部３６ｂを嵌合してから、これらの部品をまとめてコンピュータ装置本体１１の内部に設置すればよい。よって、本実施形態の冷却装置３０によれば、冷却装置３０の組み立てを容易にすることができ、コンピュータ１０の製造を容易にすることができる。さらに、本実施形態の冷却装置３０によれば、冷却装置３０のダクト３５は、電動ファンユニット３６を固定するための固定部材と一体化されているため、冷却装置３０のコストを安価に抑えることができる。
【００２６】
なお、上述した実施形態では、冷却装置３０を構成するヒートパイプ３１，３２および放熱フィン３３，３４は２組であったが、他の実施形態では、冷却装置３０を構成するヒートパイプおよび放熱フィンは３組以上であってもよい。
【００２７】
また、本発明に係る電子機器は、ノートブック型コンピュータ１０に限定されるものではなく、発熱量の大きい回路部品を搭載する種々の電子機器に適用することができる。
【図面の簡単な説明】
【００２８】
【図１】ノートブック型パーソナルコンピュータを示す斜視図である。
【図２】冷却装置を示す平面図である。
【図３】冷却装置が組み立てられた状態を示す斜視図である。
【図４】冷却装置が分解された状態を示す斜視図である。
【符号の説明】
【００２９】
１０…ノートブック型パーソナルコンピュータ、１１…コンピュータ装置本体、１２…ディスプレイユニット、１３…キーボード、１４…パワーボタン、１５…入力操作パネル、１６…タッチパッド、１７…液晶表示パネル、１８…筐体、１９…排気口部、２０…プリント配線基板、２１…第１回路部品、２２…第２回路部品、３０…冷却装置、３１…第１ヒートパイプ、３１ａ…管状部材、３１ｂ…受熱部、３２…第２ヒートパイプ、３２ａ…管状部材、３２ｂ…受熱部、３３…第１放熱フィン、３３ａ…薄板部材、３３ｂ…貫通孔部、３３ｃ…端部、３４…第２放熱フィン、３４ａ…薄板部材、３４ｂ…貫通孔部、３４ｃ…端部、３５…ダクト、３５ａ…入口開口、３５ｂ…出口開口、３５ｃ…切り欠き部、３５ｄ…切り欠き部、３５ｅ…切り欠き部、３５ｆ…切り欠き部、３５ｇ…貫通孔、３６…電動ファンユニット、３６ａ…吸入口部、３６ｂ…吐出し口部、３６ｃ…羽根車。
【図１】
2008250616.tif 000003
【図２】
2008250616.tif 000004
【図３】
2008250616.tif 000005
【図４】
2008250616.tif 000006